(57)【要約】      （修正有）【課題】簡易な構成で、上前面枠と下前面枠を各々開閉可能に設けると共に、これらの隙間に異物を挿入する不正行為を防止できる遊技機を提供する。【解決手段】透明板５aを介して遊技盤を視認可能な窓部５bを有する上前面枠と球受け皿を有する下前面枠とを有する前面枠が、ヒンジ部を中心に各々遊技機本体に対して開閉可能に組み付けられて、上皿６のガラス枠５に対する施錠が開錠されてから、ガラス枠５の施錠が開錠可能な施錠装置を備え、上皿６がガラス枠５に対して優先的に開放可能になっている。【選択図】図２
2010213880.tif 000002
【特許請求の範囲】
【請求項１】
透明板を介して遊技盤を視認可能な窓部を有する上前面枠と球受け皿を有する下前面枠とを有する前面枠が、ヒンジ部を中心に各々遊技機本体に対して開閉可能に組み付けられた遊技機であって、
前記下前面枠の前記内枠に対する施錠が開錠されてから、前記上前面枠の施錠が開錠可能な施錠装置を備え、前記下前面枠が前記上前面枠に対して優先的に開放可能になっていることを特徴とする遊技機。
【請求項２】
前記下前面枠の上縁部が前記上前面枠の下縁部に対して開放側となるように組み付けられている請求項１記載の遊技機。
【請求項３】
前記前面枠が前記内枠に対して閉止された状態で、前記上前面枠の下縁部と下前面枠の上縁部とが上下に重なり合うように嵌め合う請求項２記載の遊技機。
【請求項４】
前記施錠装置には、前記上前面枠の前記内枠に対する施錠状態を操作可能なレバーが設けられており、前記下前面枠には、前記内枠に当該下前面枠が閉じた状態で前記レバー操作を不能にする係合部が設けられている請求項１乃至３のいずれか１項に記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。前面枠の一部に設けられたシリンダー錠に鍵を差し込んで例えば右に回すと内枠を外枠に対して開放することができ、左に回すと前面枠が内枠に対して開放することができるようになっている。
【０００３】
前面枠は、遊技盤の前方を覆う窓部を有する上前面枠（ガラス枠）と球受け皿が設けられた下前面枠（球皿枠）とが各々開閉可能に設けられている遊技機がある。
この場合、シリンダー錠に差し込まれた鍵を前面枠を開放する側に回すと、通常上前面枠が下前面枠より先に開放できるようになっている。
【０００４】
上述した遊技機においては、上下前面枠の隙間から針金などの異物を侵入させ遊技盤に設けられるアタッカー等の入賞装置を操作して遊技球を不正に獲得するという不正行為が行なわれるおそれがあることから、前面枠が内枠に閉止した状態では、上前面枠の下端縁と下前面枠の上端縁とを係合させることで不正防止を図っている。このとき、前面枠を開放する際の優先順位から上前面枠の下端縁は下前面枠の上端縁より前後方向で開放側に配置される。
【０００５】
また、上前面枠の下縁側は下前面枠も上端縁より開放側に配置されていることから、上前面枠を開放側に引っ張り、浮きあがらせ、上前面枠の下端縁と下前面枠の上端縁との間にできた隙間や上前面枠と内枠との間にできた隙間から異物を侵入させ、不正に遊技球を獲得するという不正行為が行われるおそれもある。
また、上前面枠を浮き上がらせることで、遊技盤とガラスとの隙間を拡大させ、例えばアタッカーの入賞扉とガラスとの間に遊技球を挟ませることで、入賞扉の開放状態を維持し、遊技球を不正に獲得するという不正行為も行われる可能性がある。
【０００６】
このように、不正防止の観点から上前面枠を開放しなければ下前面枠を開放することができない煩わしさを解消するため、上前面枠と下前面枠とに各々施錠装置を設けた遊技機が提案されている。上前面枠及び下前面枠を各々開放できるようにすると上述した隙間を塞ぐ手段が設けられないことから、下前面枠を施錠する際には、シャッター装置が作動して可動部材が上前面枠の上部と前後方向に重なり合うよう係合して隙間を塞ぐようになっている（特許文献１参照）。
【先行技術文献】
【特許文献】
【０００７】
【特許文献１】特開２００５−２４５８０１号公報
【発明の概要】
【発明が解決しようとする課題】
【０００８】
上述した上前面枠（ガラス枠）が下前面枠（球皿枠）より先に開放する構造においては、隙間を塞ぐ前後方向に重なり合う係合部を設けたとしても、例えば下前面枠の球受け皿を強く手間側に引っ張ると、係合部を通じて上前面枠も手前側（開放側）に引っ張られて内枠との隙間が拡大し易いため、異物挿入による不正が行なわれる可能性が残る。また、上前面枠自体が手前側（開放側）に引っ張られる不正行為を防ぐことができない。
【０００９】
また、特許文献１のように、上前面枠（ガラス枠）が下前面枠（球皿枠）を個別に施錠する場合には施錠装置に関する部品点数が増えてコストが増加する上に、下前面枠の開錠に合わせてシャッター装置が作動して上下前面枠の隙間を塞ぐようになっているので、部品点数が増えて構造が複雑化する。また、シャッター装置を設けても、球受け皿を強く手前側（開放側）に引っ張られると、シャッターを通じて上前面枠も手前側（開放側）に引っ張られて内枠との隙間が広がるため、異物を挿入する不正が行われる可能性は依然として残る。上前面枠を浮き上がらせることで、遊技盤とガラスとの隙間を拡大させ、例えばアタッカーの入賞扉とガラスとの間に遊技球を挟ませることで、入賞扉の開放状態を維持し、遊技球を不正に獲得するという不正行為も行われる可能性がある。
【００１０】
本発明の目的は、簡易な構成で、上前面枠と下前面枠を各々開閉可能に設けると共に、これらの隙間を利用した不正行為を防止できる遊技機を提供することにある。
【課題を解決するための手段】
【００１１】
本発明は上記目的を達成するため、次の構成を備えることを特徴とする。
透明板を介して遊技盤を視認可能な窓部を有する上前面枠と球受け皿を有する下前面枠とを有する前面枠が、ヒンジ部を中心に各々遊技機本体に対して開閉可能に組み付けられた遊技機であって、前記下前面枠の前記内枠に対する施錠が開錠されてから、前記上前面枠の施錠が開錠可能な施錠装置を備え、前記下前面枠が前記上前面枠に対して優先的に開放可能になっていることを特徴とする。
【００１２】
また、前記下前面枠の上縁部が前記上前面枠の下縁部に対して開放側となるように組み付けられていることを特徴とする。
【００１３】
また、前記前面枠が前記内枠に対して閉止された状態で、前記上前面枠の下縁部と下前面枠の上縁部とが上下に重なり合うように嵌め合うことを特徴とする。
【００１４】
また、前記施錠装置には、前記上前面枠の前記内枠に対する施錠状態を操作可能なレバーが設けられており、前記下前面枠には、前記内枠に当該下前面枠が閉じた状態で前記レバー操作を不能にする係合部が設けられていることを特徴とする。
【発明の効果】
【００１５】
上述した遊技機を用いれば、下前面枠の内枠に対する施錠が開錠されてから、上前面枠の施錠が開錠可能な施錠装置を備え、下前面枠が前記上前面枠に対して優先的に開放可能になっているので、仮に施錠装置が不正行為により開錠されても、先に球受け皿が設けられた下前面枠が開放するのみであるため、遊技盤を覆う上前面枠を開放するためには先ず下前面枠の施錠を外すことが前提となるため、防犯性を高めることができる。
【００１６】
下前面枠の上縁部が上前面枠の下縁部に対して開放側となるように組み付けられているので、球受け皿を開放側に強く引っ張っても、上前面枠が浮き上がることはなく上前面枠と下前面枠の隙間、更には上前面枠と内枠の隙間から異物を挿入する不正行為が行い難くなる。具体的には、上前面枠を浮き上がらせることで、遊技盤とガラスとの隙間を拡大させ、例えばアタッカーの入賞扉とガラスとの間に遊技球を挟ませることで、入賞扉の開放状態を維持し、遊技球を不正に獲得するという不正行為を防ぐことができる。
【００１７】
さらには、前面枠が前記内枠に対して閉止された状態で、上前面枠の下縁部と下前面枠の上縁部とが上下に重なり合うように嵌め合うようになっていると、上前面枠の下縁部と下前面枠の上縁部の前後配置に加えて、上前面枠の下縁部が下前面枠の上縁部より奥側かつ下位置にあるため、異物を挿入する不正行為に対する防止効果がさらに向上する。
【００１８】
また、施錠装置には、上前面枠の前記内枠に対する施錠状態を操作可能なレバーが設けられており、下前面枠には、内枠に当該下前面枠が閉じた状態でレバー操作を不能にする係合部が設けられていると、下前面枠と内枠との隙間等からワイヤーを挿入してレバー操作することができず、上前面枠のみを開放しようとする不正行為を防ぐことができる。
【図面の簡単な説明】
【００１９】
【図１】パチンコ機の斜視図である。
【図２】図１のパチンコ機の上皿を開放した状態の斜視図である。
【図３】パチンコ機の要部の縦断面図である。
【図４】パチンコ機の施錠装置の動作を説明する側面図である。
【図５】球皿が施錠状態を示す施錠装置の斜視図である。
【図６】球皿が開錠状態を示す施錠装置の斜視図である。
【発明を実施するための形態】
【００２０】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２１】
先ずパチンコ機１の概略構成について説明すると、パチンコ機１の外形をなす矩形状の外枠２の側部に対して上下ヒンジ部（図示せず）により内枠３が開閉可能に取り付けられ、該内枠３の側部に対して上下ヒンジ部（図示せず）により前面枠４が開閉可能に取り付けられている。
【００２２】
また、前面枠４は、ガラス枠５（上前面枠）と上皿６（下前面枠）とを備え、内枠３に対して各々開閉可能に設けられている。ガラス枠５には、遊技領域を視認できる透明板５ａを用いた窓部５ｂが設けられている。上皿６が設けられた取付部６ａには、シリンダー錠７の鍵穴７ａが露出して設けられている。シリンダー錠７は、後述するように、内枠３に設けられた施錠装置の一部として設けられている。シリンダー錠７の鍵穴７ａに、図示しない鍵を挿入して例えば一方側に回すことにより外枠２に対して内枠３が開錠し、反対側に回すことにより内枠３に対して上皿６が開錠されるようになっている。
【００２３】
下皿８は内枠３に一体に組み付けられている。また、下皿８が設けられた取付部８ａの下方には幕板９が外枠２と一体に組み付けられている。下皿８の前面側には貯留した遊技球を図示しないドル箱に排出させるためシャッターを開閉する球抜きレバー８ｂが設けられている。また、取付部８ａには下皿８の右側に遊技領域へ向かって遊技球を発射する発射ハンドル１０が設けられており、左側に灰皿１１が設けられている。
【００２４】
図３において、内枠３の前面側には遊技盤１２が組み付けられている。遊技盤１２には、遊技盤発射レール１３、図柄表示装置（液晶表示装置；図示せず），入賞装置（図示せず）等が設けられている。図２において、ガラス枠５の下方には上皿６より供給された遊技球を遊技盤１２に向けて発射する球発射装置１４が設けられている。
【００２５】
図３において、ガラス枠５の枠体下部５ｃの下部背面側には、下縁部５ｅが前方に向けてＬ字状に折れ曲がった補強材５ｄがねじ止めされている。また、上皿６の取付部６ａの上部背面側には上縁部６ｃが背面側にむけてＬ字状に折れ曲がったアングル材６ｂが設けられている。前面枠４が内枠３に対して閉止された状態で、アングル材６ｂが補強材５ｄより手前側（開放側）となるように上縁部６ｃと下縁部５ｅ上下に重なりあって組み付けられている。
これにより、上皿６がガラス枠５に対して優先的に開放可能になる。
【００２６】
よって、上皿６を開放側に強く引っ張っても、ガラス枠５の下縁部５ｅが上皿６の上縁部６ｃより奥側かつ下位置にあるため、ガラス枠５が浮き上がることはなくガラス枠５と上皿６の隙間、更にはガラス枠５と内枠３の隙間から異物を挿入する不正行為が行い難くなる。したがって、ガラス枠５を浮き上がらせることで、遊技盤１２とガラスとの隙間を拡大させ、例えばアタッカーの入賞扉とガラスとの間に遊技球を挟ませることで、入賞扉の開放状態を維持し、遊技球を不正に獲得するという不正行為を防ぐことができる。
【００２７】
特に、前面枠４が内枠３に対して閉止された状態で、上皿６の上縁部６ｃとガラス枠５の下縁部５ｅとが上下に重なり合うように嵌め合うようになっていると、ガラス枠５の下縁部５ｅと上皿６の上縁部６ｃの前後配置に加えて、ガラス枠５の下縁部５ｅが上皿６の上縁部６ｃより奥側かつ下位置にあるため、異物を挿入する不正行為に対する防止効果がさらに向上する。
【００２８】
また、図３において、下皿８の取付部８ａの背面側には、上縁部８ｃが前方に向けてＬ字状に折れ曲がった補強材８ｃがねじ止めされている。また、上皿６の取付部６ａの下部背面側には下縁部６ｅが背面側にむけてＬ字状に折れ曲がったアングル材６ｄが設けられている。前面枠４が内枠３に対して閉止された状態で、アングル材６ｄが補強材８ｃより手前側（開放側）となるように組み付けられている。
【００２９】
よって、上皿６を手前側（開放側）に強く引っ張っても、補強材８ｃの上縁部８ｄが上皿６の下縁部６ｅより奥側かつ上位置にあるため、上皿６の取付部６ａと下皿８の取付部８ａの隙間から異物を挿入する不正行為が行い難くなる。また、補強材５ｄ、８ｃやアングル材６ｂ、６ｄは、同一部材を用いることができるので部品点数も押さえられ、設計も簡易に行なえる。
尚、下皿８は、取付部８ａを通じて内枠３と一体であるので、下皿８を手前側に引っ張ることで不正をされる隙間を形成するのが難しい構造になっている。
【００３０】
次に内枠３に設けられる施錠装置について図４乃至図６を参照して説明する。
図４において、施錠装置１５は、シリンダー錠７が取り付けられたベース部材１９に沿って、第１，第２，第３スライド部材１６，１７，１８が各々スライド可能に設けられている。第１スライド部材１６は外枠２と内枠３とを施錠し、第２スライド部材１７は、内枠３と上皿６と施錠し、第３スライド部材１８は、内枠３とガラス枠５とを施錠する。
【００３１】
図６において、第１スライド部材１６には外枠２の係止部（図示せず）と係止する第１係止フック１６ａが上下に設けられている。第１スライド部材１６はベース部材１９との間に設けられた第１引っ張りばね２０によって、図６の上方に向って付勢されている。
【００３２】
図５において、第２スライド部材１７には、前面枠４のうち上皿６の係止部６ｅと係止する第２係止フック１７ａが設けられている。第２スライド部材１７は、ベース部材１９との間に設けられた第２引っ張りばね２１により図５の下方に向って付勢されている。
【００３３】
図４において、第３スライド部材１８には、ガラス枠５の係止部５ｆと係止する第３係止フック１８ａが上下に設けられている。第３スライド部材１８は、ベース部材１９との間に設けられた第３引っ張りばね２２により図４の上方に向って付勢され、第３係止フック１８ａが係止部５ｆと係止するようになっている。尚、第３スライド部材１８は、係止部５ｆと係止する第３係止フック１８ａの向きを反対向きにして第３引っ張りばね２２の引っ張り方向を変えて図４の下方に向って付勢されるようにしてもよい。
【００３４】
また、図４において、第３スライド部材１８にはレバー２３が設けられている。レバー２３は、第３スライド部材１８をスライドさせることで、ガラス枠５の内枠３に対する施錠状態を操作可能に設けられている。このレバー２３を押し下げることにより、第３スライド部材１８を第３引っ張りばね２２の付勢に抗してスライドさせて、第３係止フック１８ａと係止部５ｆとの係止状態を解除することができる。
また、レバー２３は、上皿６が内枠３に閉止された状態で取付部６ａ（図２参照）の背面側に設けられた係止部６ｇ（凹部）と係止しており、例えば外部から異物を侵入させてレバー２３を強制的に移動させる操作ができないようになっている。
【００３５】
図５及び図６において、シリンダー錠７には、回転カム７ｂが回転可能に設けられている。回転カム７ｂには、第１アーム７ｃ及び第２アーム７ｄが突設されている。第１アーム７ｃは、第１スライド部材１６の第１係合部１６ｂと係合可能に設けられ（図６参照）、第２アーム７ｄは、第２スライド部材１７の第２係合部１７ｂと係合可能に設けられている（図５参照）。
【００３６】
パチンコ機１において、内枠３を開放する場合には、図６に示すように、シリンダー錠７に図示しない鍵を差し込んで時計回り方向に回転させる。このとき、回転カム７ｂが同方向に回転して第１アーム７ｃが第１係合部１６ｂと係合したまま第１スライド部材１６を第１引っ張りばね２０の付勢に抗して下方にスライドさせる。これによって、第１係止フック１６ａの図示しない係止部との係止状態が解除されて、外枠２に対して内枠３を開放することができる（図１参照）。
【００３７】
次に、上皿６を開放する場合には、図５に示すようにシリンダー錠７に図示しない鍵を差し込んだまま、反時計回り方向に回転する。回転カム７ｂが同方向に回転して第２アーム７ｃが第２係合部１７ｂと係合したまま第２スライド部材１７を第２引っ張りばね２１の付勢に抗して上方にスライドさせる。これによって、第２係止フック１７ａの上皿６の係止部６ｆ（図４参照）との係止状態が解除されて、内枠３に対して上皿６を開放することができる（図２参照）。
【００３８】
また、ガラス枠５を開放する場合には、先ず図２のように上皿６を開放してレバー２３を内枠前面に露出させる。この状態で図４に示すようにレバー２３を押し下げて、第３スライド部材１８を第３引っ張りばね２２の付勢に抗して下方にスライドさせる。これによって、第３係止フック１８ａのガラス枠５の係止部５ｆとの係止状態が解除されて、内枠３に対してガラス枠５を開放することができる。
【００３９】
尚、上皿６を閉める場合には、ガラス枠５が開放している場合には、先ずガラス枠５を内枠３に閉じてから、上皿６を閉じることにより、前面枠４が内枠３に対して閉止された状態で、アングル材６ｂが補強材５ｄより手前側（開放側）となるように上縁部６ｃと下縁部５ｅ上下に重なりあって組み付けることができる（図３参照）。
【００４０】
上皿６が設けられた取付部６ａの開放端側には、レバー２３に対応する位置に係合部６ｇ（凹部）が設けられている。上皿６を内枠３へ閉じた状態で、レバー２３が係合部６ｇと係合することでレバー操作が不能になるので（図４参照）、上皿６と内枠３との隙間等からワイヤーを挿入してレバー２３に引っ掛けて押し下げてガラス枠５のみを開放しようとする不正行為を防ぐことができる。
尚、係合部６ｇは凹部に限らずレバー２３の移動が妨げられる構造であればよく、例えばレバー２３の移動方向に取付部６ａ（図２参照）の背面側に係止突起などが突設されていてもよい。
【００４１】
以上のように、上皿６の内枠３に対する施錠が開錠されてから、ガラス枠５の施錠が開錠可能な施錠装置１５を備えていると、ガラス枠５を開放するためには、先ず上皿６の施錠を外すことが前提となるため、防犯機能が向上する。
また、上述した施錠装置に限らず、上皿６が優先的に開放する構成の施錠装置であれば他の構成でもよい。
【００４２】
上述した実施形態は、遊技機の一例としてパチンコ機について説明したが、他の遊技機、例えば雀球遊技機やアレンジボール遊技機などに適用してもよい。
【符号の説明】
【００４３】
１  パチンコ機  
２  外枠  
３  内枠  
４  前面枠  
５  ガラス枠  
５ａ  透明板  
５ｂ  窓部  
５ｃ  枠体下部  
５ｄ，８ｃ  補強材  
５ｅ，６ｅ  下縁部  
５ｆ，６ｆ  係止部  
６  上皿  
６ａ，８ａ  取付部  
６ｂ，６ｄ  アングル材  
６ｃ，８ｄ  上縁部  
６ｇ  係合部
７  シリンダー錠  
７ａ  鍵穴  
７ｂ  回転カム
７ｃ  第１アーム
７ｄ  第２アーム
８  下皿  
８ｂ  球抜きレバー  
９  幕板  
１０  発射ハンドル  
１１  灰皿  
１２  遊技盤  
１３  遊技盤発射レール  
１４  球発射装置  
１４ａ  整流器
１５  施錠装置  
１６  第１スライド部材  
１６ａ  第１係止フック  
１６ｂ  第１係合部
１７  第２スライド部材  
１７ａ  第２係止フック  
１７ｂ  第２係合部
１８  第３スライド部材  
１８ａ  第３係止フック  
１９  ベース部材  
２０  第１引っ張りばね  
２１  第２引っ張りばね  
２２  第３引っ張りばね  
２３  レバー
【図１】
2010213880.tif 000003
【図２】
2010213880.tif 000004
【図３】
2010213880.tif 000005
【図４】
2010213880.tif 000006
【図５】
2010213880.tif 000007
【図６】
2010213880.tif 000008